(57)【特許請求の範囲】
【請求項１】
サーバコンピュータと，第１，第２のクライアントコンピュータと，を具備するプラント監視システムであって，
前記サーバコンピュータが，
プラントの状態を検出する検出部から出力され，かつ前記プラントの状態を表す複数のプラントデータを記憶する第１の記憶部と，
プラントデータの複数の第１のグループそれぞれに属するプラントデータを識別する識別情報の第１のリストを記憶する第２の記憶部と，
前記第２の記憶部に記憶される第１のリストに基づいて，前記第１の記憶部に記憶される複数のプラントデータを前記複数の第１のグループに区分する区分部と，
前記区分されたプラントデータの複数の第１のグループを記憶する第３の記憶部と，
前記第３の記憶部に記憶されるプラントデータの複数の第１のグループを表示する第１の表示部と，を有し，
前記第１のクライアントコンピュータが，
プラントデータの第２のグループに属するプラントデータを識別する識別情報の第２のリストを記憶する第４の記憶部と，
前記第４の記憶部に記憶される第２のリストに基づいて，前記第１の記憶部を参照して，前記プラントデータの第２のグループを生成する生成部と，
前記生成部で生成されたプラントデータの第２のグループを記憶する第５の記憶部と，
前記第５の記憶部に記憶されるプラントデータの第２のグループを表示する第２の表示部と，を有し，
前記第２のクライアントコンピュータが，
複写された第２のグループのプラントデータを記憶する第６の記憶部と，
前記第６の記憶部に記憶されるプラントデータの第２のグループを表示する第３の表示部と，を有し，
前記サーバコンピュータ，前記第１，第２のクライアントコンピュータの少なくとも何れかが，前記第５の記憶部を参照して，前記プラントデータの第２のグループを複写して，前記第６の記憶部に記憶させる複写部を，さらに有する，
ことを特徴とするプラント監視システム。
【請求項２】
前記第１のクライアントコンピュータが，
プラントデータの複数の第３のグループに属するプラントデータを識別する識別情報の第３のリストを記憶する第７の記憶部と，
前記第７の記憶部に記憶される第３のリストに基づいて，前記検出部から出力される複数のプラントデータを前記複数の第３のグループに区分する第２の区分部と，
前記区分されたプラントデータの複数の第３のグループを記憶する第８の記憶部と，をさらに有し，
前記第２の表示部が，前記第８の記憶部に記憶されるプラントデータの複数の第３のグループを表示する，
ことを特徴とする請求項１記載のプラント監視システム。
【請求項３】
前記第２のクライアントコンピュータが，複写されたプラントデータのグループを記憶する第９の記憶部と，をさらに有し，
前記サーバコンピュータ，前記第１，第２のクライアントコンピュータの少なくとも何れかが，前記第８の記憶部を参照して，前記プラントデータの第３のグループの少なくとも１つを複写して，前記第９の記憶部に記憶させる第２の複写部，をさらに有し，
前記第３の表示部が，前記第９の記憶部に記憶されるプラントデータの第３のグループを表示する，
ことを特徴とする請求項２記載のプラント監視システム。
【請求項４】
前記第１の表示部が，前記第２の記憶部に記憶される第１のリストと，前記第４の記憶部に記憶される第２のリストと，を表示する
ことを特徴とする請求項１乃至３のいずれか１項に記載のプラント監視システム。
【請求項５】
前記サーバコンピュータが，
前記第２の記憶部に記憶される第１のリストと，前記第４の記憶部に記憶される第２のリストと，を編集し，置き換える編集部をさらに有する，
ことを特徴とする請求項１乃至４のいずれか１項に記載のプラント監視システム。
【請求項６】
サーバコンピュータと，第１，第２のクライアントコンピュータと，を具備するプラント監視システムでのプラント監視方法であって，
前記サーバコンピュータが，プラントの状態を検出する検出部から出力され，かつ前記プラントの状態を表す複数のプラントデータを記憶部に記憶するステップと，
前記第１のクライアントコンピュータが，プラントデータの第２のグループに属するプラントデータを識別する識別情報の第２のリストに基づいて，前記記憶部を参照して，前記プラントデータの第２のグループを生成するステップと，
前記第１のクライアントコンピュータが，前記生成されたプラントデータの第２のグループを記憶するステップと，
前記第１のクライアントコンピュータが，前記記憶されるプラントデータの第２のグループを表示するステップと，
前記サーバコンピュータ，前記第１，第２のクライアントコンピュータの少なくとも何れかが，前記プラントデータの第２のグループを複写するステップと，
前記第２のクライアントコンピュータが，前記複写されたプラントデータの第２のグループを記憶するステップと，
前記第２のクライアントコンピュータが，第６の記憶部に記憶されるプラントデータの第２のグループを表示するステップと，
を具備することを特徴とするプラント監視方法。
【発明の詳細な説明】
【技術分野】
【０００１】
本発明の実施形態は，プラント監視システムおよびプラント監視方法に関する。
【背景技術】
【０００２】
発電プラントや化学プラント等において，その状態を監視するプラント監視システムが用いられている。近年，プラント監視システムの分散化が進み，かつプラントのプロセス変化量を表示するトレンド機能以外の機能の充実が望まれる様になってきている。例えば，プラントの運用状況による監視データのみならず，将来的なプラント効率改善のためのデータ採取機能，あるいは次期プラント計画に向けてのデータ採取，保存等がその機能である。
【０００３】
一般的な分散型のプラント監視システムでは，トレンドデータの欠損を無くし継続性を維持するため二重化されたサーバ装置（以降サーバと記載）にてプラントデータを収集し，分散されたクライアント装置（以降クライアントと記載）はサーバに収集されたトレンドデータを参照，表示する。
【０００４】
しかしながら，前述した様に，最近では，通常のプラント運転監視はもとより，プラント効率改善検討データ等の採取あるいは定期点検時のデータ採取など目的が多様化し，トレンドデータの収集量は増加する一方である。多くのデータを収集，保存することで，様々な用途に活用できることから，今後もトレンドデータの収集量が増加傾向となる可能性がある。この増加傾向が続き，現状のサーバだけで全ての用途に対応するトレンドデータを収集し続けることは，サーバの負荷を増加させサーバが持つ性能計算，警報処理，伝送等の他機能が処理遅延や不適合を発生させる可能性がある。
【０００５】
また，監視目的，用途の拡がりにより，トレンドデータの表示設定項目が増加して，従来のプラント監視装置が設定可能な項目数の制限を超過し，また，設定した項目が多すぎて表示させたい設定を探し出すのに時間がかかる可能性がある。この結果，プラント監視装置に要求される使い易さが損なわれ，特にプラントに大きな変化が発生しトレンドデータ表示を見ながら緊急操作する場合に，大きな支障となる。
【０００６】
そこで，サーバ異常時におけるデータの欠損を防止するために，プラント監視制御装置の中で，正常に動作している時はサーバでデータを収集して保存し，サーバに異常が発生した場合は入出力装置がサーバ停止中のサーバ機能を代行してデータ保存しておきサーバが正常になった時点で収集，演算，保存したデータをサーバに送信し欠損した部分のデータを補完するという方法がある。（例えば特許文献１参照）
【０００７】
また，トレンドデータ表示方法に関してはその割付方法が一覧からの選択方法で，表示画面の一覧上でドラッグし同時に表示させたトレンド画面上にドロップする方法がある。（例えば特許文献２参照）
【先行技術文献】
【特許文献】
【０００８】
【特許文献１】特開２００７−２３３８９１号公報
【特許文献２】特開２００９−３０１２６０号公報
【発明の概要】
【発明が解決しようとする課題】
【０００９】
上記プラント監視制御装置はデータ欠損を防止する手段としては有効であるが，背景技術として要求される欠損の無いトレンドデータ項目数を増やすことはできない。
【００１０】
また，表示設定方法に関しても簡単に割付を可能とする方法としては有効で有るが，数多くの設定グループの中から迅速に検索するには全てのグループを開かないと判断できない。従来のプラント監視システムにおいては，クライアントにてトレンド表示する場合，サーバにて収集されている項目を参照しながら個別に設定している。このため，サーバにて収集していないトレンドが欲しい場合には，サーバに収集登録をしてからクライアントにて参照要求しなければならない。
【００１１】
また，クライアントが複数台ある大規模システムにおいては，クライアント個々に設定する手間が大きくなる。また，類似トレンドグループを複数設定してしまい，プラント監視する上でトレンドグループが肥大化し，必要なトレンドグループを選択し呼び出すことが容易で無くなる可能性がある。
【００１２】
さらに，トレンドグループは，一般に，グループ名称からの収集項目の判断が困難である。このため，階層を全て開くか，トレンド表示してみないと，目的のトレンドグループかどうか判断できない。この結果，目的のトレンドグループに到達するまで，選択，表示を多数回繰り返す可能性がある。
【００１３】
本発明は，第１のクライアントコンピュータで設定されたプラントデータのグループを第２のクライアントコンピュータで設定容易とするプラント監視システムおよびプラント監視方法を提供することを目的とする。
【課題を解決するための手段】
【００１４】
実施形態のプラント監視システムは，サーバコンピュータと，第１，第２のクライアントコンピュータと，を具備する。サーバコンピュータが，プラントの状態を検出する検出部から出力され，かつ前記プラントの状態を表す複数のプラントデータを記憶する第１の記憶部と，プラントデータの複数の第１のグループそれぞれに属するプラントデータを識別する識別情報の第１のリストを記憶する第２の記憶部と，前記第２の記憶部に記憶される第１のリストに基づいて，前記第１の記憶部に記憶される複数のプラントデータを前記複数の第１のグループに区分する区分部と，前記区分されたプラントデータの複数の第１のグループを記憶する第３の記憶部と，前記第３の記憶部に記憶されるプラントデータの複数の第１のグループを表示する第１の表示部と，を有する。前記第１のクライアントコンピュータが，プラントデータの第２のグループに属するプラントデータを識別する識別情報の第２のリストを記憶する第４の記憶部と，前記第４の記憶部に記憶される第２のリストに基づいて，前記第１の記憶部を参照して，前記プラントデータの第２のグループを生成する生成部と，前記生成部で生成されたプラントデータの第２のグループを記憶する第５の記憶部と，前記第５の記憶部に記憶されるプラントデータの第２のグループを表示する第２の表示部と，を有する。前記第２のクライアントコンピュータが，複写されたプラントデータの第２のグループを記憶する第６の記憶部と，前記第６の記憶部に記憶されるプラントデータの第２のグループを表示する第３の表示部と，を有する。前記サーバコンピュータ，前記第１，第２のクライアントコンピュータの少なくとも何れかが，前記第５の記憶部を参照して，前記プラントデータの第２のグループを複写して，前記第６の記憶部に記憶させる複写部を，さらに有する。
【図面の簡単な説明】
【００１５】
【図１】一実施形態に係るプラント監視システム１００を表すブロック図である。
【発明を実施するための形態】
【００１６】
以下，図面を参照して，実施形態を詳細に説明する。プラント監視システム１００は，発電プラントや化学プラント等のプラントの動作状態を監視するシステムである。図１に示すように，プラント監視システム１００は，検出部１０，入出力装置２０，サーバ３０，１クライアント４０，ｎクライアント５０を有する。プラント監視システム１００は，ｎ個のクライアントを有するものとするが，図１では１クライアント４０，ｎクライアント５０のみを示している。
【００１７】
検出部１０は，検出器１０−１〜１０−ｎを有する。検出器１０−１〜１０−ｎはそれぞれ，プラントの状態（例えば，測定点での温度，圧力，流量）を検出し，プラントデータとして，入出力装置２０に出力する。プラントデータは，検出結果を表すデータに，データを識別する識別情報（ＩＤ）が付加され，検出部１０から時系列的に出力される。プラントデータの時間的変化により，プラントの状態の時間的変化（トレンド）を監視できる。即ち，時系列的なプラントデータは，トレンドデータである。
【００１８】
入出力装置２０は，検出部１０からプラントデータを入力し，ネットワーク６０を経由して，サーバ３０，１クライアント４０，ｎクライアント５０に送信する。入出力装置２０は，入力処理部２１，演算処理部２２，伝送処理部２３を有する。入力処理部２１は，検出部１０からプラントデータを入力する。演算処理部２２は，入力処理部２１で入力されたプラントデータを演算処理する（例えば，プラントデータのデータ圧縮）。伝送処理部２３は，ネットワーク６０を経由して，演算処理部２２で演算処理されたプラントデータをサーバ３０，１クライアント４０，ｎクライアント５０に送信する。
【００１９】
サーバ３０は，サーバ機能を有するコンピュータ（サーバコンピュータ）であり，ハードウェア（CPU(Central Processing Unit)，主記憶装置（メモリ），補助記憶装置（ハードディスク）等），ソフトウェアの組み合わせから構成できる。サーバ３０は，伝送処理部３１，共通トレンドデータ記憶部３２，データ分配処理部３３，表示データ処理部３０１，表示部３５０，表示選択部３６０，収集・編集操作部３７０を有する。
【００２０】
伝送処理部３１は，ネットワーク６０を経由して，入出力装置２０からプラントデータを受信し，共通トレンドデータ記憶部３２に格納する。
【００２１】
共通トレンドデータ記憶部３２は，サーバ３０，１クライアント４０，ｎクライアント５０で共通に利用されるプラントデータ（トレンドデータ）を記憶する。共通トレンドデータ記憶部３２は，「プラントの状態を検出する検出部から出力され，かつ前記プラントの状態を表す複数のプラントデータを記憶する第１の記憶部」として機能する。
【００２２】
データ分配処理部３３は，共通トレンドデータ記憶部３２に記憶されたプラントデータをグループＣ１〜Ｃｎに区分し，表示データ処理部３０１内に後述の第３の記憶部であるＣ１グループ情報３４−１〜Ｃｎグループ情報３４−ｎとして分配し，記憶させる。グループＣ１〜Ｃｎへの分配は，収集・編集操作部３７０からの入力により設定されたサーバトレンド一覧３１０内のリスト（第１のリスト）に従って，実行される。データ分配処理部３３は，「第２の記憶部に記憶される第１のリストに基づいて，前記第１の記憶部に記憶される複数のプラントデータを前記複数の第１のグループに区分する区分部」として機能する。
【００２３】
表示データ処理部３０１は，表示部３５０で表示するための情報として，サーバトレンド一覧３１０，項目一覧３１１，Ｃ１グループ情報３４−１〜Ｃｎグループ情報３４−ｎ，１クライアントトレンド一覧４１０，項目一覧４１１，ｎクライアントトレンド一覧５１０，項目一覧５１１を記憶する。
【００２４】
サーバトレンド一覧３１０は，共通トレンドデータ記憶部３２に蓄積されるプラントデータの識別情報の一覧（リスト）を含む。
また，サーバトレンド一覧３１０は，Ｃ１グループ情報３４−１〜Ｃｎグループ情報３４−ｎ（プラントデータのグループＣ１〜Ｃｎ）それぞれに属するプラントデータの識別情報（ＩＤ）の一覧（リスト）を含む。この一覧は，「プラントデータの複数の第１のグループそれぞれに属するプラントデータを識別する識別情報の第１のリスト」に対応する。
【００２５】
項目一覧３１１は，サーバトレンド一覧３１０に記憶されるプラントデータの一覧（リスト）それぞれの項目（プロセスデータ）の内容，例えば，プラントデータのＩＤ，説明，単位等を示す。サーバトレンド一覧３１０がプラントデータの識別情報の一覧（リスト）のみで足りるのに対して，項目一覧３１１は，プラントデータそれぞれの具体的内容を表す。
【００２６】
Ｃ１グループ情報３４−１〜Ｃｎグループ情報３４−ｎはそれぞれ，複数（例えば，最大８つ）のプラントデータのグループ（例えば，検出器１０−１〜１０−８のプラントデータのグループ〜検出器１０−８１〜１０−８８のプラントデータのグループ）であり，データ分配処理部３３によって，共通トレンドデータ記憶部３２から分配される。Ｃ１グループ情報３４−１〜Ｃｎグループ情報３４−ｎは「区分されたプラントデータの複数の第１のグループ」に対応する。
【００２７】
１クライアントトレンド一覧４１０，項目一覧４１１は，１クライアント４０の表示データ処理部４０１からコピーされた情報である。
ｎクライアントトレンド一覧５１０，項目一覧５１１は，ｎクライアント５０の表示データ処理部５０１からコピーされた情報である。
【００２８】
表示部３５０は，プラントデータのグループ等を表示するための表示装置，例えば，液晶表示装置である。表示部３５０は，第３の記憶部に記憶される複数の第１のグループのプラントデータ（より具体的には，プラントデータのリストおよびプラントデータの時間的変化（トレンド）を表すグラフ）を表示する第１の表示部として機能する。
【００２９】
表示選択部３６０，収集・編集操作部３７０はそれぞれ，不図示の入力部からの入力により，プラントデータのグループの表示設定，収集設定，編集等を可能とする。
【００３０】
表示選択部３６０は，サーバトレンド一覧３１０（プラントデータのリスト）を表示部３５０に表示させ，Ｃ１グループ情報３４−１〜Ｃｎグループ情報３４−ｎからの，表示部３５０で表示するグループの選択の設定（入力）を可能とする。
【００３１】
収集・編集操作部３７０は，Ｃ１グループ情報３４−１〜Ｃｎグループ情報３４−ｎ（グループＣ１〜Ｃｎ）それぞれに含めるプラントデータを設定する。既述のように，例えば，最大８点の任意の監視ポイント（トレンド収集項目，プラントデータ）が，１グループとして設定（入力）できる。グループＣ１〜Ｃｎ毎に設定されたプラントデータは，サーバトレンド一覧３１０内のリスト（第１のリスト）として記憶され，プラントデータの分配に用いられる。
【００３２】
また，収集・編集操作部３７０は，１クライアント４０のＣ１１グループ情報４３−１（第５の記憶部）内のグループ（プラントデータの第２のグループ）をｎクライアント５０のＣ１１グループ情報４３−１（第６の記憶部）に複写して，記憶させることができる。即ち，収集・編集操作部３７０は，「第５の記憶部を参照して，前記プラントデータの第２のグループを複写して，前記第６の記憶部に記憶させる複写部」として機能する。
【００３３】
さらに，収集・編集操作部３７０は，サーバトレンド一覧３１０内のリスト（第１のリスト）および１クライアントトレンド一覧４１０内のリスト（第２のリスト）を編集し，編集前のリストと置き換えることができる。即ち，収集・編集操作部３７０は，「第２の記憶部に記憶される第１のリストと，前記第４の記憶部に記憶される第２のリストと，を編集し，置き換える編集部」として機能する。
【００３４】
１クライアント４０は，クライアント機能を有するコンピュータ（第１のクライアントコンピュータ）であり，ハードウェア（CPU(Central Processing Unit)，主記憶装置（メモリ），補助記憶装置（ハードディスク）等），ソフトウェアの組み合わせから構成できる。１クライアント４０は，伝送処理部４１，個別トレンドデータ記憶部４２，データ分配処理部４３，表示データ処理部４０１，表示部４５０，表示選択部４６０，収集・編集操作部４７０を有する。
【００３５】
伝送処理部４１は，ネットワーク６０を経由して，入出力装置２０からプラントデータを受信し，個別トレンドデータ記憶部４２に格納する。
【００３６】
個別トレンドデータ記憶部４２は，１クライアント４０のみで利用されるプラントデータ（トレンドデータ）を記憶する。
【００３７】
データ分配処理部４３は，個別トレンドデータ記憶部４２に記憶されたプラントデータをグループ１１〜１ｎに区分し，表示データ処理部４０１内に後述の１１グループ情報４４−１〜１ｎグループ情報４４−ｎとして分配する。グループ１１〜１ｎは，収集・編集操作部４７０からの入力により設定され，１クライアントトレンド一覧４１０内のリストとして保持される。データ分配処理部４３は，「前記第７の記憶部に記憶される第３のリストに基づいて，前記検出部から出力される複数のプラントデータを前記複数の第３のグループに区分する第２の区分部」として機能する。
【００３８】
データ分配処理部４３は，１クライアントトレンド一覧４１０内のリスト（第２のリスト）に基づいて，共通トレンドデータ記憶部３２に記憶されたプラントデータからＣ１１グループ情報４３−１を生成する。即ち，データ分配処理部４３は，「第４の記憶部に記憶される第２のリストに基づいて，前記第１の記憶部を参照して，前記プラントデータの第２のグループを生成する生成部」として機能する。
【００３９】
表示データ処理部４０１は，表示部４５０で表示するための情報として，１クライアントトレンド一覧４１０，項目一覧４１１，Ｃ１１グループ情報４３−１，１１グループ情報４４−１〜１ｎグループ情報４４−ｎ，ｎ１グループ情報５４−１を記憶する。
【００４０】
１クライアントトレンド一覧４１０は，個別トレンドデータ記憶部４２に蓄積されるプラントデータの識別情報の一覧（リスト）を含む。
【００４１】
また，１クライアントトレンド一覧４１０は，１１グループ情報４４−１〜１ｎグループ情報４４−ｎ（プラントデータのグループ１１〜１ｎ）それぞれに属するプラントデータの識別情報の一覧（リスト）を含む。この一覧は，「プラントデータの複数の第３のグループに属するプラントデータを識別する識別情報の第３のリスト」に対応する。
【００４２】
１クライアントトレンド一覧４１０は，Ｃ１１グループ情報４３−１（プラントデータのグループＣ１１）に属するプラントデータの識別情報の一覧（リスト）を含む。この一覧は，「プラントデータの第２のグループに属するプラントデータを識別する識別情報の第２のリスト」に対応する。
１クライアントトレンド一覧４１０は，ｎ１グループ情報５４−１（プラントデータのグループｎ１）に属するプラントデータの識別情報の一覧（リスト）を含む。
【００４３】
項目一覧４１１は，１クライアントトレンド一覧４１０に記憶されるプラントデータの一覧（リスト）それぞれの項目（プロセスデータ）の内容，例えば，プロセスデータのＩＤ，説明，単位等を示す。
【００４４】
１１グループ情報４４−１〜１ｎグループ情報４４−ｎはそれぞれ，複数（例えば，最大８つ）のプラントデータのグループであり，データ分配処理部４３によって，個別トレンドデータ記憶部４２から分配される。１１グループ情報４４−１〜１ｎグループ情報４４−ｎは，「区分されたプラントデータの複数の第３のグループ」に対応する。
【００４５】
Ｃ１１グループ情報４３−１は，共通トレンドデータ記憶部３２から抽出されたプラントデータのグループ（例えば，検出器１０−１，１０−２，１０−１１，１０−８，１０−５，１０−１６，１０−７のプラントデータのグループ）の情報である。Ｃ１１グループ情報４３−１は，「生成部で生成されたプラントデータの第２のグループ」に対応する。
ｎ１グループ情報５４−１は，ｎクライアント５０の表示データ処理部５０１からコピーされた情報である。
【００４６】
表示部４５０は，プラントデータのグループ等を表示するための表示装置，例えば，液晶表示装置である。表示部４５０は，「第５の記憶部に記憶される第２のグループのプラントデータを表示する第２の表示部」として機能する。
【００４７】
表示選択部４６０，収集・編集操作部４７０はそれぞれ，不図示の入力部からの入力により，プラントデータのグループの表示設定，収集設定，編集等を可能とする。
【００４８】
表示選択部４６０は，１クライアントトレンド一覧４１０を表示部４５０に表示させ，Ｃ１１グループ情報４３−１，ｎ１グループ情報５４−１，１１グループ情報４４−１〜１ｎグループ情報４４−ｎからの，表示部４５０で表示するグループの選択の設定（入力）を可能とする。
【００４９】
収集・編集操作部４７０は，１１グループ情報４４−１〜１ｎグループ情報４４−ｎ（グループ１１〜１ｎ），Ｃ１１グループ情報４３−１それぞれに含めるプラントデータを設定する。既述のように，例えば，最大８点の任意の監視ポイント（トレンド収集項目，プラントデータ）が，１グループとして設定（入力）できる。グループ１１〜１ｎ毎に設定されたプラントデータは，データ分配処理部４３に記憶され，プラントデータの分配に用いられる。
【００５０】
また，収集・編集操作部４７０は，１クライアント４０のＣ１１グループ情報４３−１内のグループ（プラントデータの第２のグループ）をｎクライアント５０のＣ１１グループ情報４３−１内に複写して，記憶させることができる。即ち，収集・編集操作部４７０は，「第５の記憶部を参照して，前記プラントデータの第２のグループを複写して，前記第６の記憶部に記憶させる複写部」として機能する。
【００５１】
さらに，収集・編集操作部４７０は，１クライアント４０の１１グループ情報４４−１内のグループ（プラントデータの第３のグループ）をｎクライアント５０の１１グループ情報４４−１内に複写して，記憶させることができる。即ち，収集・編集操作部４７０は，「第８の記憶部を参照して，前記プラントデータの第３のグループを複写して，前記第９の記憶部に記憶させる第２の複写部」として機能する。
【００５２】
ｎクライアント５０は，クライアント機能を有するコンピュータ（第２のクライアントコンピュータ）であり，ハードウェア（CPU(Central Processing Unit)，主記憶装置（メモリ），補助記憶装置（ハードディスク）等），ソフトウェアの組み合わせから構成できる。ｎクライアント５０は，伝送処理部５１，個別トレンドデータ記憶部５２，データ分配処理部５３，表示データ処理部５０１，表示部５５０，表示選択部５６０，収集・編集操作部５７０を有する。
【００５３】
伝送処理部５１は，ネットワーク６０を経由して，入出力装置２０からプラントデータを受信し，個別トレンドデータ記憶部５２に格納する。
【００５４】
個別トレンドデータ記憶部５２は，ｎクライアント５０のみで利用されるプラントデータ（トレンドデータ）を記憶する。
【００５５】
データ分配処理部５３は，個別トレンドデータ記憶部５２に記憶されたプラントデータをグループｎ１〜ｎｎに区分し，表示データ処理部５０１内に後述のｎ１グループ情報５４−１〜ｎｎグループ情報５４−ｎとして分配する。グループｎ１〜ｎｎは，収集・編集操作部５７０からの入力により設定され，ｎクライアントトレンド一覧５１０内のリストとして保持される。
【００５６】
表示データ処理部５０１は，表示部５５０で表示するための情報として，ｎ１クライアントトレンド一覧５１０，項目一覧５１１，Ｃ１１グループ情報４３−１，１１グループ情報４４−１，ｎ１グループ情報５４−１〜ｎｎグループ情報５４−ｎを記憶する。
【００５７】
ｎクライアントトレンド一覧５１０は，個別トレンドデータ記憶部５２に蓄積されるプラントデータの識別情報の一覧（リスト）を含む。また，ｎクライアントトレンド一覧５１０は，ｎ１グループ情報５４−１〜ｎｎグループ情報５４−ｎ（プラントデータのグループｎ１〜ｎｎ）それぞれに属するプラントデータの識別情報の一覧（リスト）を含む。
【００５８】
項目一覧５１１は，ｎクライアントトレンド一覧５１０に記憶されるプラントデータの一覧（リスト）それぞれの項目（プロセスデータ）の内容，例えば，プロセスデータのＩＤ，説明，単位等を示す。
【００５９】
ｎ１グループ情報５４−１〜ｎｎグループ情報５４−ｎはそれぞれ，複数（例えば，最大８つ）のプラントデータのグループであり，データ分配処理部５３によって，個別トレンドデータ記憶部５２から分配される。
Ｃ１１グループ情報４３−１は，共通トレンドデータ記憶部３２から抽出されたプラントデータのグループの情報である。１１グループ情報４４−１は，共通トレンドデータ記憶部３２から抽出されたプラントデータのグループの情報である。
【００６０】
Ｃ１１グループ情報４３−１および１１グループ情報４４−１は，１クライアント４０の表示データ処理部４０１からコピーされた情報である。Ｃ１１グループ情報４３−１は，「複写されたプラントデータの第２のグループ」に対応する。
【００６１】
表示部５５０は，プラントデータのグループ等を表示するための表示装置，例えば，液晶表示装置である。表示部５５０は，「第６の記憶部に記憶されるプラントデータの第２のグループを表示する第３の表示部」として機能する。
【００６２】
表示選択部５６０，収集・編集操作部５７０はそれぞれ，不図示の入力部からの入力により，プラントデータのグループの表示設定，収集設定，編集等を可能とする。
【００６３】
表示選択部５６０は，ｎクライアントトレンド一覧５１０を表示部５５０に表示させ，Ｃ１１グループ情報４３−１，１１グループ情報４４−１，ｎ１グループ情報５４−１〜ｎｎグループ情報５４−ｎからの，表示部５５０で表示するグループの選択の設定（入力）を可能とする。
【００６４】
収集・編集操作部５７０は，ｎ１グループ情報５４−１〜ｎｎグループ情報５４−ｎ（グループｎ１〜ｎｎ）それぞれに含めるプラントデータを設定する。既述のように，例えば，最大８点の任意の監視ポイント（トレンド収集項目，プラントデータ）が，１グループとして設定（入力）できる。グループｎ１〜ｎｎ毎に設定されたプラントデータは，ｎクライアントトレンド一覧５１０内のリストとして記憶され，プラントデータの分配に用いられる。
【００６５】
収集・編集操作部５７０は，「第５の記憶部を参照して，前記プラントデータの第２のグループを複写して，前記第６の記憶部に記憶させる複写部」および「第８の記憶部を参照して，前記プラントデータの第３のグループを複写して，前記第９の記憶部に記憶させる第２の複写部」として機能する。
【００６６】
本実施形態に係るプラント監視システム１００は以下の特徴を有する。
（１）システム内でのグループ情報の複写
システム内でのグループ情報（例えば，Ｃ１１グループ情報４３−１）の複写が可能である。例えば，１クライアント４０より，Ｃ１１グループ情報４３−１のトレンドデータ表示をｎクライアント５０でも可能としたい場合がある。この場合，１クライアント４０にて，Ｃ１１グループ情報４３−１をコピーし，ｎクライアント５０の表示データ処理部５０１にペーストする。ｎクライアント５０の表示選択部５６０にて，ペーストされたグループを選択することで，表示部５５０に１クライアント４０の表示画面と同様のＣ１１グループ情報４３−１が表示される。
【００６７】
サーバ３０にて設定したＣ１グループ情報３４−１および１クライアント４０１１にて設定したグループ情報４４−１をｎクライアント５０の表示データ処理部５０１にコピーしても良い。Ｃ１グループ情報３４−１と１１グループ情報４４−１をトレンドデータとして表示可能となる。
【００６８】
また１クライアント４０でも，Ｃ１グループ情報３４−１とｎ１グループ情報５４−１を１クライアント４０にコピーできる。Ｃ１グループ情報３４−１とｎ１グループ情報５４−１をトレンドデータとして表示可能できる。
【００６９】
以上のように，１クライアント４０にてサーバ３０のデータを参照する様に設定したＣ１１グループ情報４３−１を収集・編集操作部４７０にてグループ情報として他のクライアント（例えば，ｎクライアント５０）にペーストすることで，同一のグループ情報（Ｃ１１グループ情報４３−１）を他のクライアントで表示できる。
【００７０】
この結果，全く同じグループ情報のトレンドデータを別の機器（クライアント等）に簡単に設定可能となることから，設定時の順番違い，レンジ違い，収集周期違い，グループ名称違いなどのミスを無くすことができ，設定の正確さと設定時間の短縮を図ることができる。
【００７１】
（２）クライアントでのトレンドデータの収集
基本的には，プラント監視システム１００では，サーバ３０にて収集しているデータを各クライアントで参照表示する。これに対して，サーバ３０同様に，各クライアントにてトレンドデータを収集できる。収集したトレンドデータは，個別トレンドデータ記憶部４２，５２に蓄積されて，活用される。
【００７２】
１クライアント４０は，サーバ３０にて収集していない項目であっても，ネットワーク６０にあるデータで有れば，任意に選択して個別トレンドデータ記憶部４２に収集設定できる。その結果，１クライアント独自の１１グループ情報４４−１から１ｎグループ情報４４−ｎの複数のグループを作成できる。また全ての収集，保存処理がサーバ３０にて実施される場合と比較して，項目を整理し分散させることができる。
【００７３】
以上のように，全てのクライアントでの任意収集を可能とすることで，データ収集項目数がクライアント台数に比例して増加するため，より多くのデータ収集，保存ができる。また，収集項目を整理し収集を分散させることでサーバ３０の処理負荷を低減することができる。このため，性能計算などの処理スピード向上，故障時の影響度を低く抑えることができる。
【００７４】
（３）クライアントで収集されたトレンドデータの複写
（２）で示したように各クライアントでも個別トレンドデータ記憶部４２，５２にて各クライアント独自のグループ情報を持てる。このため，収集・編集操作部４７０，５７０によって，グループ情報をコピーしクライントにペーストすることができる。
【００７５】
サーバ，クライアントの区別無くデータ収集できることから，１クライアント４０内の表示データ処理部４０１において，種々のグループ情報（例えば，サーバ３０の収集データを参照しているＣ１１グループ情報，１クライアント４０にて独自に収集設定した１１グループ情報４４−１から１ｎグループ情報４４−ｎ，ｎクライアント５０にて収集設定したｎ１グループ情報５４−１）をカスタマイズできる。
【００７６】
以上のように，グループ情報を複数台のクライアントに同一グループ情報としてデータ収集，保存しておく。この結果，クライアントの故障でデータが欠損しても，故障復旧後にグループ情報としてコピーすることで，欠損部分を容易に補完できる。
【００７７】
（４）トレンド一覧の表示
（１）から（３）にてトレンドデータの収集項目を増やしたり，クライアント間で相互補完するために，同じグループ設定を持つ様に，グループ情報（トレンドグループ）をコピーすることが示された。これらトレンドグループを集中管理できる様に，サーバトレンド一覧３１０，１クライアントトレンド一覧４１０，ｎクライアントトレンド一覧５１０に付随する項目一覧３１１，４１１，５１１をサーバ３０上で一括表示可能とする。サーバトレンド一覧３１０等をマトリクス形式で一覧管理できる
【００７８】
サーバ上に全てのトレンド一覧が表示できるため新規設定をしようとするときに，既にどこかで設定したグループが無いかどうかが容易に確認できる。
【００７９】
その結果，類似設定を防止することができる。このため，トレンドグループの肥大化を防止し，各機器の負荷を低減できる。
【００８０】
（５）トレンド一覧の編集
収集・編集操作部３７０は，サーバ３０，１クライアント４０，ｎクライアント内のトレンド一覧３１０，４１０，５１０と項目一覧３１１，４１１，５１１から任意のグループを選択して編集できる。編集されたトレンド一覧３１０等は，サーバ３０，１クライアント４０，ｎクライアントを選択して，サーバ３０等内の編集前のトレンド一覧３１０等と置き換えることができる。
【００８１】
集中管理された一覧上で編集操作することでシステム全体の設定状態を確認することができる。従来は各クライアントが設置されている場所での設定作業が必須であった移動の省略，設定漏れの防止が期待できる。
【００８２】
以上のように，類似設定となってしまったクライアントでの設定を是正したり統合したりすることが容易にできる。このため，トレンド収集項目の整理がしやすく維持管理を簡素化できる。
【００８３】
（１）プラント監視システム１００では，サーバ３０にて収集したトレンドデータをクライアント４０，５０にて参照表示する際の設定内容をトレンドグループ（グループ情報）として登録し，他のクライアント４０，５０へコピーできる。従って，個別設定手間の低減と類似トレンドグループの発生が防止される。また，肥大化したグループをサーバ３０にてマトリクス形式で一覧管理し，絞り込み検索できる。この結果，容易に必要とするトレンドグループに到達可能となり，無駄な操作が低減される。
【００８４】
（２）また，プラント監視システム１００では，サーバ３０にて収集するトレンド項目の無駄を排除しながらプラント運用状況に合ったトレンド収集を実行するために，クライアント４０，５０にも個別にトレンド収集機能を持つ。この結果，サーバ負荷を軽減し，サーバによりデータ収集することでデータの欠損防止を図ってきた制限も複数台のクライアント４０，５０にて同一トレンドを収集することでお互いに補完しあうことを可能となる。
【００８５】
（３）さらに，プラント監視システム１００では，各クライアント４０，５０にて設定した上述サーバと同様にトレンドデータ情報をグループ化し複数クライアント４０，５０間でグループ単位の設定をコピー可能する。このことで同一トレンド収集の設定を簡単に実施することができ，データの統一性の確保と欠損の防止が図れる。
【００８６】
（４）プラント監視システム１００では，サーバ３０では全クライアント４０，５０のトレンド項目を一覧項目表示，編集可能としサーバにてプラント監視システム１００全体のトレンド収集項目を集中管理可能とする。類似トレンドグループが複数のクライアント３０にて存在することにより生じるリソースの無駄を防止しながら監視したいトレンドデータを容易に検索できる。
【００８７】
（その他の実施形態）
本発明の実施形態は上記の実施形態に限られず拡張，変更可能であり，拡張，変更した実施形態も本発明の技術的範囲に含まれる。
【符号の説明】
【００８８】
１０…検出部，２０…入出力装置，２１…入力処理部，２２…演算処理部，２３…伝送処理部，３０…サーバ，３１…伝送処理部，３２…共通トレンドデータ記憶部，３３…データ分配処理部，４０１クライアント，４１…伝送処理部，４２…個別トレンドデータ記憶部，４３…データ分配処理部，５０…ｎクライアント，５１…伝送処理部，５２…個別トレンドデータ記憶部，５３…データ分配処理部，６０…ネットワーク，３０１…表示データ処理部，３１０…サーバトレンド一覧，３１１…項目一覧，３４−１…グループ情報，３４−ｎ…グループ情報，３５０…表示部，３６０…表示選択部，３７０…収集・編集操作部，４０１…表示データ処理部，４１０…クライアントトレンド一覧，４１１…項目一覧，４３−１…Ｃ１１グループ情報，４４−１…１１グループ情報，４４−ｎ…１ｎグループ情報，４５０…表示部，４６０…表示選択部，４７０…収集・編集操作部，５０１…表示データ処理部，５１０…クライアントトレンド一覧，５１１…項目一覧，５４−１…ｎ１グループ情報，５４−ｎ…ｎｎグループ情報，５５０…表示部，５６０…表示選択部，５７０…収集・編集操作部
【図１】
0005586322.tif 000002